(57)【要約】【課題】ニットウエアのＶ首部を編成する際、衿幅に対して剣先丈の割合が高くなり、Ｖ首中央部先端１８がより突出した形となってＶ首部尖端２２の衿部と身頃の境界ライン２３が歪み、目立ってしまう場合がある。本発明では、衿部の組織に関わらず、Ｖ首部尖端２２の衿部と身頃の境界ライン２３を崩れないようにする編成方法を提供する。【解決手段】ニットウエアのＶ首部を編成する方法において、Ｖ首中央部の両端の編目と繋がる右衿部と左衿部を編成しながら外側に向けて移動し、その外側に位置する右側前身頃と左側前身頃に重ね目してＶ首部を形成する際、割り増やし編成やミス編成を行い、剣先丈を減らし、衿幅に対する剣先丈の比率を下げる。【選択図】図２
2010281010.tif 000002
【特許請求の範囲】
【請求項１】
少なくとも前後一対の針床を有する横編機を用い、ニットウエアのＶ首部を編成する方法において、Ｖ首中央部の両端の編目と繋がる右衿部と左衿部を編成しながら外側に向けて移動し、その外側に位置する右側前身頃と左側前身頃に重ね目してＶ首部を形成する際、Ｖ首中央部の剣先丈の減少で、衿幅に対する剣先丈の比率を下げることを特徴とするニットウエアのＶ首部編成方法。
【請求項２】
前記剣先丈の減少は、剣先丈を構成するＶ首中央部の任意の編目列の両端部の編目を、割り増やし編成することを特徴とする請求項１記載のニットウエアのＶ首部編成方法。
【請求項３】
前記割り増やし編成にて形成された編目の一方は、右衿部と左衿部を外側に向けて移動して空針となった編針に、移動することを特徴とする請求項２記載のニットウエアのＶ首部編成方法。
【発明の詳細な説明】
【技術分野】
【０００１】
本発明は、横編機によるニットウエアのＶ首部の編成方法に関する。
【背景技術】
【０００２】
横編機で、セーター等のニットウエアを形成する場合、前身頃と後身頃をその両端で連続する筒状編地として裾から肩に向けて編成し、身頃の左右で編まれる袖を筒状に編成して、身頃側に移動させながら接合し、更に前身頃と後身頃を肩部分で接合する編成方法がある。またその際、衿首用開口を形成するとともに衿を身頃に一体に編成することも可能である。
【０００３】
セーターとベストでは袖部の編成が異なるが、Ｖ首部の形成は、基本的には同じ編成方法が適用できる。また衿部の編成に関しては、身頃と衿部を並行して形成する方法（たとえば、特許文献１参照）や、身頃を形成した後に衿部を形成する方法（たとえば、特許文献２参照）がある。図４では、前者の方法で編成する従来のＶ首部を有するセーター１０を示す。前身頃１が途中で分岐してＶ首部を形成するが、Ｖ首部尖端２２におけるＶ首中央部先端１８が特に突出した形となっている。両袖と身頃の裾から編み出し、それぞれ筒状に編成した後、身頃と両袖を接合して衿部を形成し、肩部２を接合する方法は、公知な方法で行う。
【０００４】
図５は、図４で示すセーター１０のＶ首部尖端２２の拡大図である。後述する図１も含め、図上に示すＦは表目を、Ｂは裏目を、矢印Ｃは編目のウェール方向を示す。左右の肩部に繋がる右衿部１６と左衿部１７は、リブ組織であり、Ｖ首中央部２１には天竺の２目がＶ首中央部先端１８からＶ首中央部終端２０に向けて６コース分、編目がウェール方向に繋がっている。そのＶ首中央部先端１８からＶ首中央部終端２０までの長さを剣先丈とする。また衿部の形成時には、２コースに１回、衿部の移動を外側に向けて行い、衿部の端部に白丸Ｄで示す孔が開き、前身頃に二重丸Ｅで示す重ね目ができるとともに、Ｖ首中央部２１の剣先丈が衿部の衿幅に対して長くなり、衿部と身頃の境界ライン２３が歪み、Ｖ首中央部先端１８が特に突出した形となっている。また、そのことは、太い実線で示す直角三角形で、辺Ｚ′と辺Ｙ′の差が図１の辺Ｚと辺Ｙの差よりも小さい結果が、後述するその理由となる。
【０００５】
図６は、図４で示すセーター１０のＸ−Ｘの位置で切断した図である。前身頃１に右衿部１６−右前身頃１１−右袖１２−後身頃１３−左袖１４−左前身頃１５−左衿部１７を折り返し編成している。図５に示すように衿部は外側に移動しながら形成するため、編目のウェール方向は斜めに向いている。
【０００６】
ここで、右衿部１６と左衿部１７の編目はウェール方向が斜めの為、前身頃の縦方向の編目との関係で長さ比率が同じではない。言い換えると図１に太い実線で示す直角三角形の辺Ｙと辺Ｚのような関係となる。辺Ｙと辺Ｚの長さ比率では、辺Ｚが図のように辺Ｙよりも長ければ、きちんとその形に収まるが、一旦形成された時点で同じ長さの辺Ｙと辺Ｚとなる編目ではそのようにはならず、実際には、辺Ｙにあたる編目が短くはならずに伸びた状態となり、図５で示すＹ′のように長くなってしまう。
【先行技術文献】
【特許文献】
【０００７】
【特許文献１】特許第３０７１１４７号公報
【特許文献２】特開２００６−１１１９９６号公報
【発明の概要】
【発明が解決しようとする課題】
【０００８】
例えば、衿部にリブなどの組織を形成すると、もともと縦と斜めの関係で比率が異なる条件に加え、衿幅方向に編地が縮む条件が加わる。衿幅に対して剣先丈の割合がより高くなり、Ｖ首中央部先端１８がより突出した形となってＶ首部尖端２２の衿部と身頃の境界ライン２３が歪み、目立ってしまう場合がある。本発明では、衿部の組織に関わらず、Ｖ首部尖端２２の衿部と身頃の境界ライン２３を崩れないようにする編成方法を提供する。
【課題を解決するための手段】
【０００９】
本発明の編成方法は、少なくとも前後一対の針床を有する横編機を用い、ニットウエアのＶ首部を編成する方法において、Ｖ首中央部の両端の編目と繋がる右衿部と左衿部を編成しながら外側に向けて移動し、その外側に位置する右側前身頃と左側前身頃に重ね目してＶ首部を形成する際、Ｖ首中央部の剣先丈の減少で、衿幅に対する剣先丈の比率を下げることを特徴とする。
【００１０】
また、前記剣先丈の減少は、剣先丈を構成するＶ首中央部の任意の編目列の両端部の編目を、割り増やし編成することを特徴とする。
【００１１】
更には、前記割り増やし編成にて形成された編目の一方は、右衿部と左衿部を外側に向けて移動して空針となった編針に、移動することを特徴とする。
【発明の効果】
【００１２】
本発明の編成方法によれば、剣先丈の減少で、衿幅に対する剣先丈の比率を下げることで、Ｖ首中央部先端の位置を変更して、Ｖ首部尖端の衿部と身頃の境界ラインを変更できる。
【００１３】
本発明の編成方法によれば、Ｖ首中央部の任意の編目列の両端部の編目を割り増やし編成することで、その割り増やし編成を行った編目の剣先丈を減らすことができる。
【００１４】
本発明の編成方法によれば、割り増やし編成することで得られた編目を利用し、空針の孔埋めを行うことができる。
【図面の簡単な説明】
【００１５】
【図１】本発明の実施例であるセーターＶ首部の拡大図である。
【図２】本発明の実施例のＶ首部の前半の編成図である。
【図３】本発明の実施例のＶ首部の後半の編成図である。
【図４】従来の編成方法で形成されたＶ首セーターの図である。
【図５】図４で示すセーター１０のＶ首部尖端２２の拡大図である。
【図６】図４で示すセーター１０のＸ−Ｘの位置で切断した図である。
【発明を実施するための形態】
【００１６】
次に、本発明の好適な実施の形態を図面に基づいて詳細を説明する。この実施形態では、割り増やしが可能で、後針床が左右にラッキング可能な２枚ベッドと、目移しの為のトランスファージャック（特許第３４０８７３５号公報参照）と、フックを有する針本体とフックを開閉するスライダーとを有する複合針（特許第２９１７１４６号公報参照）を備える横編機（例えば、株式会社島精機製作所製コンピュータ横編機：製品名ＦＩＲＳＴ）を用いて説明する。また、前記複合針を有した前後二対の針床を有する４枚ベッド機（例えば、株式会社島精機製作所製コンピュータ横編機：製品名ＭＡＣＨ２Ｘ）であっても良い。それらの横編機に搭載された前記複合針を使用することで、べら針に設けられた羽根がない為に編針が溝の中心に位置し、割り増やし時には、べら針で生じた編目の捻れは生じずに、左右均一で綺麗な編目を形成することができる。また編目の形成においても、左右均一で綺麗な編目が形成できる。
【実施例】
【００１７】
図１は、本発明の実施例であるリブを衿組織としたニットウエアのＶ首部の拡大図である。表目が２目と裏目が２目を基本パターンとした６目で右衿部１６、左衿部１７を形成しており、Ｖ首中央部先端１８からＶ首中央部終端２０の間に、Ｖ首中央部２１が天竺で存在する。図５に示す従来のＶ首部と構成は同じであるが、剣先丈を減らして衿幅に対する比率を下げたことで衿部と身頃の境界ライン２３は崩れていない。
【００１８】
図２は、本発明の実施例のＶ首部の前半の編成図である。また図３は、図２に続く本発明の実施例のＶ首部の後半の編成図である。ニットウェアとしてのセーター、ベストは、Ｖ首部で基本的には同じ編成を適用でき、また裾リブから編み始めて身頃に至る編成も公知であるため、ここでは前身頃１でのＶ首部の形成に対し、単層編地としての説明を行う。
【００１９】
図中、ＦＢは前針床を、ＢＢは後針床を、ａ〜ｘは前針床の編針の位置を、Ａ〜Ｘは後針床の編針の位置を、黒丸は新たに編成された編目を、白丸は編針に係止された旧編目を、二重丸は重ね目を、■は割り増やしの編目を示す。また矢印は、目移しでの編目の移動を示す。目移しは、図示はしていないが、ＦＢの針床の上方に編針と同様に複数配置されるトランスファージャックに編目を預けて行う。説明の適宜上、編針の数を実際よりも少なくしている。
【００２０】
図２のＳ１は、Ｖ首中央部先端１８の編成コース状態を示している。ＦＢの編針ｋ〜編針ｎはＶ首中央部２１を、編針ａ〜編針Ｊは右前身頃１１を、編針ｏ〜編針ｘは左前身頃１５を示し、それらの編針ａ〜編針ｘに新たな編目を形成する。Ｓ２は、編針ｘ〜編針ａに新たな編目を形成するが、編針ｋと編針ｎで割り増やし編成を行っている。編針ｋと編針ｎに係止する編目をスライダーのタングに位置させてそれらの針のフックに新たな編糸を給糸し、その後、編針Ｋと編針Ｎの編針を上昇させ、編針ｋと編針ｎのスライダーの先端に係止している編目を、編針Ｋと編針Ｎのフック内に移動させる。      
【００２１】
Ｓ３では、ＦＢの編針ｊと編針ｏの編目をＢＢの編針Ｊと編針Ｏにそれぞれ目移しする。Ｓ４では、ＢＢの編針Ｊと編針Ｋの編目をＦＢの編針ｉと編針ｊにそれぞれ目移しし、編針ｉでは重ね目となる。同様に、ＢＢの編針Ｎと編針Ｏの編目をＦＢの編針ｏと編針ｐに目移しし、編針ｐでは重ね目となる。Ｓ５では、再び編針ａ〜編針ｘに向けて新たな編目を形成する。そのなかで編針ｌと編針ｍではミス編成を行う。他の編針には新たな編目を形成するが、これらの編針には形成せず、Ｓ２で形成した編目が残る。
【００２２】
Ｓ６では、Ｓ２と同じ割り増やし編成を行う。Ｓ７では、ＦＢの編針ｉ、ｊ、ｏ、ｐの編目を、それぞれＢＢの編針Ｉ、Ｊ、Ｏ、Ｐに目移しする。Ｓ８では、ＢＢの編針Ｉ、Ｊ、Ｋのそれぞれの編目をＦＢの編針ｈ、ｉ、ｊに目移しする。編針ｈでは重ね目となる。同様に、ＢＢの編針Ｎ、Ｏ、Ｐの編目をＦＢの編針ｏ、ｐ、ｑにそれぞれ目移しし、編針ｑでは重ね目となる。Ｓ９では、再び編針ａ〜編針ｘに向けて新たな編目を形成する。編針ｌと編針ｍではミス編成を行う。編針ｌと編針ｍについては、Ｓ６にて編成しているので、２コースに１回のミス編成となる。
【００２３】
図３のＳ１０は、Ｓ２と同じ割り増やし編成を行っている。Ｓ１１では、ＦＢの編針ｈ、ｉ、ｊ、ｏ、ｐ、ｑの編目を、それぞれＢＢの編針Ｈ、Ｉ、Ｊ、Ｏ、Ｐ、Ｑに目移しする。Ｓ１２では、ＢＢの編針Ｈ、Ｉ、Ｊ、Ｋのそれぞれの編目をＦＢの編針ｇ、ｈ、ｉ、ｊに目移しし、更に編針ｊの編目を編針Ｊに目移しする。同様に、ＢＢの編針Ｎ、Ｏ、Ｐ、Ｑの編目をＦＢの編針ｏ、ｐ、ｑ、ｒにそれぞれ目移しし、更に編針ｏの編目を、編針Ｏに目移しする。目移しが終わると、編針ｇと編針ｑでは重ね目となる。Ｓ１３では、再び編針ａ〜編針ｘに向けて新たな編目を形成するが、編針ｌと編針ｍではミス編成を行い、編針ｊに代って編針Ｊで、編針ｏに代って編針Ｏで、それぞれ編成する。編針Ｊと編針Ｏで編成した編目は、衿部に展開するリブの裏目となる編目である。
【００２４】
Ｓ１４では、Ｓ１０の状態から編針ｊに代って編針Ｊで、編針ｏに代って編針Ｏで編成を行う。ここでも編針ｋと編針ｎに対して割り増やし編成を行い、編針Ｋと編針ＮにＳ１０で形成した編針ｋと編針ｎの編目を移動する。Ｓ１５では、ＦＢの編針ｇ、ｈ、ｉ、ｐ、ｑ、ｒの編目を、それぞれＢＢの編針Ｇ、Ｈ、Ｉ、Ｐ、Ｑ、Ｒに目移しする。Ｓ１６では、ＢＢの編針Ｇ、Ｈ、Ｉ、Ｊ、Ｋのそれぞれの編目をＦＢの編針ｆ、ｇ、ｈ、ｉ、ｊに目移しし、更に編針ｉと編針ｊの編目は、編針Ｉと編針Ｊに目移しする。同様に、ＢＢの編針Ｎ、Ｏ、Ｐ、Ｑ、Ｒの編目をＦＢの編針ｏ、ｐ、ｑ、ｒ、ｓにそれぞれ目移しし、更に編針ｏと編針ｐの編目は、編針Ｏと編針Ｐに目移しする。
【００２５】
目移しが終わると、編針ｆと編針ｓでは重ね目となる。右衿部１６と左衿部１７に対し、Ｖ首中央部２１から見て、裏目２目、表目４目となっている。Ｓ１７は、Ｓ１３〜Ｓ１６と同じ工程の内容を２回繰り返し、表目２目、裏目２目、表目２目としてＶ首中央部終端２０の編成コース状態を示す。ＦＢの編針ｋ〜編針ｎはＶ首中央部２１を、編針ａ〜編針ｄは右前身頃１１を、編針ｅ〜編針ｊは右衿部１６を、編針ｏ〜編針ｔは左衿部１７を、編針ｕ〜編針ｘは左前身頃１５を示す。
【００２６】
Ｓ１７の後は、図示はしていないがＶ首の開口部となり、セーターの場合は、図６で示した折り返しの編成と、右衿部１６と左衿部１７をＶ首中央部２１から外側向きに、目移しを行いながら移動して、図１に示すＶ首部の編成が完成する。本実施例では、Ｓ２、Ｓ６、Ｓ１０、Ｓ１４で割り増やし編成を行っているが、それぞれの編針ｋと編針ｎに係止する編目は割り増やしを行うことで、剣先丈は他の編目に比べて低くなる。つまり、ＦＢからＢＢに目移しをした編目が別の位置に移動して使用されるため、本来の位置にある編目が無くなり、その分編目数が少なくなり低くなる。
【００２７】
また、Ｓ５、Ｓ９、Ｓ１３で２コースに１回行っているミス編成とあわせて、剣先丈を減らすことで、衿幅に対する比率を下げることができ、Ｖ首部尖端２２の衿部と身頃の境界ライン２３が崩れず見栄えを損なわない。合わせて、Ｓ４、Ｓ８、Ｓ１２、Ｓ１６で割り増やし編成を行ったＢＢの編目をＦＢに目移しすることで、編目が移動して出来た空針（編針ｊ、ｏ）の孔埋めを行うことができ、見栄えも向上する。
【００２８】
本実施例では、２コースに１回の割合で割り増やし編成とミス編成を行って、剣先丈を減らすようにしているが、３コースや４コースに１回の割合でも良く、不規則なコースに対して行っても良い。糸の太さやループの詰み具合により調整ができる。さらに、割り増やし編成とミス編成については単独で行っても良い。また、Ｖ首中央部２１のみ、複数コースを使って１コースを編成する編成を行っても良い。いずれの編成方法も剣先丈を減らすことができる。
【００２９】
また、本実施例では、衿部に、リブを形成したが、ガーター組織などの他の組織を形成しても良い。割り増やし編成やミス編成を行い、剣先丈と衿幅の比率を適宜調整すればよい。さらにまた、本実施例では、編針ｋから編針ｎの４目をＶ首中央部２１の編幅としているが、２目以上であれば目数を変更しても良く、その目数は奇数でも良い。
【符号の説明】
【００３０】
１                前身頃      
２                肩部  
１０              セーター                  
１６              右衿部
１７              左衿部
２１              Ｖ首中央部
【図１】
2010281010.tif 000003
【図２】
2010281010.tif 000004
【図３】
2010281010.tif 000005
【図４】
2010281010.tif 000006
【図５】
2010281010.tif 000007
【図６】
2010281010.tif 000008